【手続補正書】
【提出日】平成19年5月28日(2007.5.28)
【手続補正１】
【補正対象書類名】特許請求の範囲
【補正対象項目名】全文
【補正方法】変更
【補正の内容】
【特許請求の範囲】
【請求項１】
光源手段と、複数の偏向面を有する回転多面鏡と、主走査断面内において前記光源手段から出射した光束を前記回転多面鏡の偏向面に前記偏向面の幅より広い光束幅で入射させる入射光学系と、前記回転多面鏡で偏向された光束を被走査面上に結像させる走査光学系と、を有する光走査装置において、
前記回転多面鏡に入射する光束は、主走査断面内において収束光束であり、
前記走査光学系の主走査断面内における焦点距離をｆ、
前記走査光学系の後側主平面から前記収束光束が前記走査光学系によって結像される結像点までの距離をＳｋ、
前記走査光学系の光軸と前記回転多面鏡に入射する光束の主光線とのなす主走査断面内における角度をα、
前記走査光学系の光軸と前記回転多面鏡の偏向面にて偏向された光束の主光線とのなす主走査断面内における角度をβ、
前記回転多面鏡の回転中心から前記回転多面鏡の複数の偏向面までの距離のばらつき量をδL、
とし、主走査方向の画像の解像度から決定される前記被走査面上における主走査方向の１インチあたりの画素数をＮＭ、
とするとき、
【数１】
2005345720.tif 000001
【数２】
2005345720.tif 000002
なる条件を満足することを特徴とする光走査装置。
【請求項２】
主走査断面内に投射したとき、前記光源手段から出射した光束は、前記回転多面鏡の偏向角の中央から入射し且つ副走査断面内において前記回転多面鏡の回転軸と直交する面に対して所定の角度をなすように前記回転多面鏡の偏向面に入射することを特徴とする請求項１に記載の光走査装置。
【請求項３】
請求項１又は２に記載の光走査装置と、前記被走査面に設けられた感光ドラムと、前記光走査装置で走査された光束によって前記感光ドラムの上に形成された静電潜像をトナー像として現像する現像器と、現像されたトナー像を被転写材に転写する転写手段と、転写されたトナー像を被転写材に定着させる定着器とを有することを特徴とする画像形成装置。
【請求項４】
請求項１又は２に記載の光走査装置と、外部機器から入力したコードデータを画像信号に変換して前記光走査装置に入力せしめるプリンタコントローラとを有していることを特徴とする画像形成装置。
【請求項５】
各々が請求項１又は２に記載の光走査装置の被走査面に設けられ、互いに異なった色の画像を形成する複数の像担持体とを有することを特徴とするカラー画像形成装置。
【請求項６】
外部機器から入力した色信号を異なった色の画像データに変換して各々の光走査装置に入力せしめるプリンタコントローラを有していることを特徴とする請求項５記載のカラー画像形成装置。
【手続補正２】
【補正対象書類名】明細書
【補正対象項目名】００１７
【補正方法】変更
【補正の内容】
【００１７】
請求項１の発明の光走査装置は、
光源手段と、複数の偏向面を有する回転多面鏡と、主走査断面内において前記光源手段から出射した光束を前記回転多面鏡の偏向面に前記偏向面の幅より広い光束幅で入射させる入射光学系と、前記回転多面鏡で偏向された光束を被走査面上に結像させる走査光学系と、を有する光走査装置において、
前記回転多面鏡に入射する光束は、主走査断面内において収束光束であり、
前記走査光学系の主走査断面内における焦点距離をｆ、
前記走査光学系の後側主平面から前記収束光束が前記走査光学系によって結像される結像点までの距離をＳｋ、
前記走査光学系の光軸と前記回転多面鏡に入射する光束の主光線とのなす主走査断面内における角度をα、
前記走査光学系の光軸と前記回転多面鏡の偏向面にて偏向された光束の主光線とのなす主走査断面内における角度をβ、
前記回転多面鏡の回転中心から前記回転多面鏡の複数の偏向面までの距離のばらつき量をδL、
とし、主走査方向の画像の解像度から決定される前記被走査面上における主走査方向の１インチあたりの画素数をＮＭ、
とするとき、
【数２】
2005345720.tif 000003
【数３】
2005345720.tif 000004
なる条件を満足することを特徴としている。
【手続補正３】
【補正対象書類名】明細書
【補正対象項目名】００１８
【補正方法】変更
【補正の内容】
【００１８】
請求項２の発明は請求項１の発明において、主走査断面内に投射したとき、前記光源手段から出射した光束は、前記回転多面鏡の偏向角の中央から入射し且つ副走査断面内において前記回転多面鏡の回転軸と直交する面に対して所定の角度をなすように前記回転多面鏡の偏向面に入射することを特徴としている。
【手続補正４】
【補正対象書類名】明細書
【補正対象項目名】００１９
【補正方法】変更
【補正の内容】
【００１９】
請求項３の発明の画像形成装置は、請求項１又は２に記載の光走査装置と、前記被走査面に設けられた感光ドラムと、前記光走査装置で走査された光束によって前記感光ドラムの上に形成された静電潜像をトナー像として現像する現像器と、現像されたトナー像を被転写材に転写する転写手段と、転写されたトナー像を被転写材に定着させる定着器とを有することを特徴としている。
【手続補正５】
【補正対象書類名】明細書
【補正対象項目名】００２０
【補正方法】変更
【補正の内容】
【００２０】
請求項４の発明の画像形成装置は、請求項１又は２に記載の光走査装置と、外部機器から入力したコードデータを画像信号に変換して前記光走査装置に入力せしめるプリンタコントローラとを有していることを特徴としている。
【手続補正６】
【補正対象書類名】明細書
【補正対象項目名】００２１
【補正方法】変更
【補正の内容】
【００２１】
請求項５の発明のカラー画像形成装置は、各々が請求項１又は２に記載の光走査装置の被走査面に設けられ、互いに異なった色の画像を形成する複数の像担持体とを有することを特徴としている。
【手続補正７】
【補正対象書類名】明細書
【補正対象項目名】００２２
【補正方法】変更
【補正の内容】
【００２２】
請求項６の発明は請求項５の発明において、外部機器から入力した色信号を異なった色の画像データに変換して各々の光走査装置に入力せしめるプリンタコントローラを有していることを特徴としている。
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】削除
【補正の内容】
【手続補正１６】
【補正対象書類名】明細書
【補正対象項目名】００９４
【補正方法】変更
【補正の内容】
【００９４】
本実施例において前述の実施例１と異なる点は、主走査断面内に投射したとき走査光学系６の光軸Ｌと、回転多面鏡に入射する光束の主光線とのなす角度αを０°（光源手段から出射した光束を、主走査断面内に投射したとき光偏向器の偏向角の中央から入射させる正面入射より構成）に設定し、且つ副走査断面内において該光偏向器の回転軸と直交する面に対して所定の角度をなすように、該光偏向器の偏向面に入射させたことである。尚、ここで所定の角度とは角度αが０°であるため、０°でない有限の値であることは明らかである。その他の構成及び光学的作用は実施例１と略同様であり、これにより同様な効果を得ている。このとき前述の角度βは主走査断面内に投射したときの値である。